(57)【要約】【課題】本発明は、表示装置の表示面に沿って面内方向に加わる荷重を緩和させることのできる表示装置固定構造を提供する。【解決手段】ポータブルコンピュータ１は、表示装置６と筐体と固定金具３３とを具備する。表示装置は、４つの外縁部６１２，６２３，６３４，６４１と、これら４つ外縁部により構成される４つの角部６１，６２，６３，６４とを有する。筐体は、表示装置の背面を覆う背壁３１ｂと、表示装置の外周を囲む外周壁３１ａとを有する。固定金具は、固定片３３ａを有し、表示装置に固定される。背壁は、第１の領域Ａ１と第２の領域Ａ２を有する。第１の領域は、表示装置の４つの外縁部と外周壁との間に位置する領域である。第２の領域は、第１の領域および表示装置の背面に対向する領域を除き、角部と外周壁との間に位置する領域である。固定金具の固定片は、第２の領域に固定される。【選択図】      図２
2007034939.tif 000002
【特許請求の範囲】
【請求項１】
４つの外縁部と、これら４つ外縁部により構成される４つの角部とを有する表示装置と、
前記表示装置を内蔵するとともに、前記表示装置の背面を覆う背壁と、前記表示装置の外周を囲む外周壁とを有する筐体と、
固定片を有し、前記表示装置に固定される固定金具と、を具備し、
前記背壁は、前記表示装置の４つの外縁部と前記外周壁との間に位置する第１の領域と、前記第１の領域および前記表示装置の背面と対向する領域とは異なるとともに前記角部と前記外周壁との間に位置する第２の領域とを有し、
前記固定金具の固定片は、前記第２の領域に固定されることを特徴とする電子機器。
【請求項２】
前記固定金具は、２つの前記固定片を一体に有し、これら２つの固定片はそれぞれ隣合う２箇所の前記第２の領域に位置されることを特徴とする請求項１に記載の電子機器。
【請求項３】
前記筐体は、前記固定片が固定される取付座を有し、この取付座は、前記第２の領域のみに位置することを特徴とする請求項１に記載の電子機器。
【請求項４】
前記固定金具は、前記表示装置の対向する外縁部にそれぞれ固定されることを特徴とする請求項２に記載の電子機器。
【請求項５】
前記背壁の前記第１の領域における前記外周壁から離間した位置に前記表示装置の外縁部と対向して設けられるリブと、
前記表示装置の外縁部と前記リブとの間、および前記表示装置の背面と前記筐体の背壁との間の少なくとも一方に取り付けられる弾性部材と、
を備えることを特徴とする請求項１に記載の電子機器。
【発明の詳細な説明】
【技術分野】
【０００１】
本発明は、電子機器に組み込まれる表示装置を保持するための表示装置固定構造に関する。
【背景技術】
【０００２】
電子機器の表示装置は、外殻となるカバーの内側に設けられた取付部にネジで固定される。特許文献１は、表示装置となる液晶素子を、カバーとなるキャビネットに取り付ける方法を開示している。この液晶素子は、液晶パネルと液晶パネル枠と取付穴変換部材とで構成されている。
【０００３】
取付穴変換部材は、液晶素子の左側部および右側部にそれぞれ取り付けられ、本体部と折曲部とで構成されている。本体部は、液晶パネル枠の左側面および右側面に沿って延びるリボン形状のプレートで形成されている。折曲部は、本体部の両端に設けられ、液晶素子から離れる方向へ液晶素子の表示面に沿って直角に折曲げられている。キャビネットの内側にボスが形成されている。ボスに設けられた取付穴の位置に対応させて、折曲部にネジ穴が穿設されている。折曲部がボスに対してネジで固定されることによって、液晶表示素子は、キャビネットに固定されている。
【０００４】
特許文献１に開示されている構造において、ボスは、液晶素子の左右の側部に隣合う位置に配置されている。電子機器の一形態であるノート型の携帯電子機器は、表示装置として液晶表示素子を備えており、特許文献１に開示された構造でカバーに固定されるものもある。
【特許文献１】特開２０００-１００８２号公報
【発明の開示】
【発明が解決しようとする課題】
【０００５】
携帯電子機器は、携行する途中で落下させてしまうことがある。したがって、特許文献１に開示された構造で液晶表示素子が固定されている場合、ボスが設けられている側から落下すると、表示装置は、ボスに衝突する。その結果、衝撃は、カバーからボスを通して表示装置に加わる。衝撃が大きいと液晶素子のガラス基板が折曲部の近傍を基点に破損することもある。
【０００６】
また、携帯電子機器は、鞄に入れて持ち歩かれる場合、外周の４つの縁のいずれかが下になる。この場合、ボスが設けられた側が下になっていると、鞄を床におくだけでも表示装置の側部からこの表示装置の表示面に沿う面内方向に垂直な荷重がボスを介して加わる。したがって、鞄をぞんざいに扱うと、落下させた場合と同じ程度の衝撃が表示装置に加わるため、表示装置が破損することもある。
【０００７】
そこで、本発明は、表示装置へ伝わる衝撃を緩和することができる電子機器を提供する。
【課題を解決するための手段】
【０００８】
本発明に係る電子機器は、表示装置と筐体と固定金具とを具備する。表示装置は、４つの外縁部と、これら４つ外縁部により構成される４つの角部とを有する。筐体は、表示装置を内蔵し、表示装置の背面を覆う背壁と、表示装置の外周を囲む外周壁とを有する。固定金具は、固定片を有し、表示装置に固定される。背壁は、第１の領域と第２の領域を有する。第１の領域は、表示装置の４つの外縁部と外周壁との間に位置する領域である。第２の領域は、第１の領域および表示装置の背面に対向する領域を除き、角部と外周壁との間に位置する領域である。固定金具の固定片は、第２の領域に固定される。
【発明の効果】
【０００９】
本発明によれば、表示装置へ伝わる衝撃を緩和することができる。
【発明を実施するための最良の形態】
【００１０】
本発明に係る第１の実施形態の電子機器としてポータブルコンピュータ１を一例に、図１から図１２を参照して説明する。図１に示すポータブルコンピュータ１は、本体２と表示部３とを有している。表示部３は、本体２にヒンジ４で連結されており、本体２に重なる位置から、図１に示すように本体２に対して立て起された位置まで回動する。
【００１１】
説明の都合上、ポータブルコンピュータ１を利用する者から見て、右、左、手前側を前、ヒンジ４が設けられる奥側を後、とそれぞれ定義する。また、表示部３の場合、本体２に重ね合された状態で前と後とを定義する。
【００１２】
本体２の上面には、入力操作するためのキー５ａが配置されたキーボード５が設けられている。表示部３は、筐体内に表示装置６を内蔵する。表示部３が本体２に対して立て起された（開かれた）状態で、表示装置６の表示面６aは、キーボード５に面している。本実施形態において表示装置６は、平坦で外形形状が四角形であり、例えば、ガラス基板とバックライト用の導光板とが重ね合された液晶ディスプレイである。なお、表示装置６は、プラズマディスプレイ、有機エレクトリックルミネッセンスディスプレイ、表面電界ディスプレイなどであっても良い。
【００１３】
表示部３の筐体は、図１に示すようにカバー３１と、マスク３２とを有している。表示部３は、図２に示すようにカバー３１と、マスク３２と、固定金具３３と、取付座３４と、固定ネジ３５とで構成される表示装置固定構造によって、表示装置６を内部に保持している。カバー３１は、表示装置６よりも大きい外形を有し、表示装置６の非表示面（背面）６ｂを覆う。カバー３１は、表示装置６の外周を囲む外周壁３１ａと、非表示面６ｂと対向する背壁３１ｂとを有する。
【００１４】
マスク３２は、表示面６ａを露出させる窓部３２ａが形成され、表示面６ａ側からカバー３１に装着される。係合爪３１ｆがカバー３１の外周壁３１ａに沿って点在しており、これに対応してマスク３２の外周に沿って被係合部が設けられる。なお、本実施形態において、外周壁３１ａは、カバー３１の縁となる。カバー３１に外周壁３１ａを設ける代わりにマスク３２に外周壁を設けても良い。この場合、背壁３１ｂの最外周がカバー３１の縁となる。
【００１５】
カバー３１の背壁３１ｂには、図１２に示すように第１の領域Ａ１と第２の領域Ａ２とが設定される。第１の領域Ａ１は、表示装置６の外縁部６１２，６２３，６３４，６４１とカバー３１の外周壁３１ａとの間に位置する領域である。第２の領域Ａ２は、表示装置６の各角部において隣合う外縁部をそれぞれ延長した２つの線分とカバー３１の外周壁３１ａとで囲まれる領域である。すなわち、第２の領域Ａ２は、第１の領域Ａ１および表示装置６の非表示面６ｂとなる背面に対向する領域とは別領域であり、表示装置６の各角部と外周壁３１ａとの間に位置する領域である。
【００１６】
具体的には、前側右の第２の領域Ａ２は、表示装置６の角部６１において隣合う外縁部６４１，６１２に沿ってそれぞれ延長された２つの線分Ｂ１およびＢ２とカバー３１の外周壁３１ａとで囲まれる領域である。前側左の第２の領域Ａ２は、表示装置６の角部６２において隣合う外縁部６１２，６２３に沿ってそれぞれ延長された２つの線分Ｂ３およびＢ４とカバー３１の外周壁３１ａとで囲まれる領域である。後側左の第２の領域Ａ２は、表示装置６の角部６３において隣合う外縁部６２３，６３４に沿ってそれぞれ延長に沿って２つの線分Ｂ５およびＢ６とカバー３１の外周壁３１ａとで囲まれる領域である。後側右の第２の領域Ａ２は、表示装置６の角部６４において隣合う外縁部６３４，６４１に沿ってそれぞれ延長された２つの線分Ｂ７およびＢ８とカバー３１の外周壁３１ａとで囲まれる領域である。
【００１７】
固定金具３３は、第１の領域Ａ１から表示面６ａに沿う表示装置６の面内方向へ螺合されるビス３６で、図２に示すように表示装置６の右側の外縁部６４１および左側の外縁部６２３にそれぞれ固定される。固定金具３３は、表示装置６の右側の外縁部６４１および左側の外縁部６２３と隣合う第１の領域Ａ１側から角部６１，６２，６３，６４よりも表示面６ａに沿って前方向および後方向へ延びた端部に固定片３３ａを有している。各固定片３３ａは、表示装置６の角部６１，６２，６３，６４から離れて、第２の領域Ａ２の範囲内に配置される。
【００１８】
取付座３４は、固定片３３ａの配置に対応してカバー３１に設けられ、固定片３３ａを第２の領域Ａ２内で支持する。取付座３４の中央部には、ネジ穴３４ａが設けられている。前側右の取付座３４を図３に、前側左の取付座３４を図４に、後側右の取付座３４を図５に、後側左の取付座３４を図６にそれぞれ示す。
【００１９】
固定ネジ３５は、図７に示すように第２の領域Ａ２に設けられた取付座３４に締め込まれ、固定片３３ａをカバー３１に固定する。表示部３の前側右において、固定片３３ａが取付座３４に固定ネジ３５で固定された状態を図８に示す。表示部３の前側左において、固定片３３ａが取付座３４に固定ネジ３５で固定された状態を図９に示す。表示部３の後側右において、固定片３３ａが取付座３４に固定ネジ３５で固定された状態を図１０に示す。表示部３の後側左において、固定片３３ａが取付座３４に固定ネジ３５で固定された状態を図１１に示す。
【００２０】
図７から図１１においてマスク３２は取り付けられていないが、本実施形態において、前側右および前側左の第２の領域Ａ２に締め込まれる固定ネジ３５は、図２に示すようにマスク３２を固定するためのネジを兼ねている。このようにすることで、ネジの本数を減らすことができる。後側右および後側左の第２の領域Ａ２に締め込まれる固定ネジ３５もマスク３２を固定するためのネジと兼用することができる。これにより、さらにネジの本数を減らすことができる。
【００２１】
本実施形態において、取付座３４は、カバー３１側に設けたため、固定ネジ３５は、マスク３２側から螺挿されている。取付座は、マスク側に設けて非表示面側から固定ネジを螺挿しても良い。この場合、外観の見栄えを考慮し、カバー３１は、マスク３２に対して嵌合することによって取り付けられる構造としても良い。
【００２２】
図２、図５および図６に示すように、表示部３を本体２に連結する右側のヒンジ４のアーム４１は、表示装置６の後側の外縁部６３４とカバー３１の外周壁３１ａとの間の第１の領域Ａ１から後側右の第２の領域Ａ２を回り込んで、右側の外縁部６４１とカバー３１の外周壁３１ａとの間の第１の領域Ａ１に挿入されている。また、左側のヒンジ４のアーム４１は、表示装置６の後側の外縁部６３４とカバー３１の外周壁３１ａとの間の第１の領域Ａ１から後側左の第２の領域Ａ２を回り込んで、左側の外縁部６２３とカバー３１の外周壁３１ａとの間の第１の領域Ａ１に挿入されている。なお、各図において、アーム４１のみがカバー３１に取り付けられた状態となっているが、実際にはヒンジ４として組みあがった状態で、アーム４１がカバー３１に組みつけられる。
【００２３】
カバー３１は、図３から図６に示すように第１の領域Ａ１にリブ３１ｃを備える。リブ３１ｃは、表示装置６の外縁部６１２，６２３，６３４，６４１およびカバー３１の外周壁３１ａと離間し、カバー３１の背壁３１ｂから表示装置６の厚み方向へ立ち上がっている。リブ３１ｃは、表示装置６に面した側と反対側に脚長を有した補強リブ３１ｄを備える。
【００２４】
リブ３１ｃおよび表示装置６の外縁部６４１，６２３に並ぶアーム４１には、表示装置６に面して弾性部材７が取り付けられている。この弾性部材７は、表示部３に加わる衝撃荷重のうち、表示面６ａに沿う面内方向の衝撃荷重を吸収する十分な減衰率を有した衝撃吸収材が適用される。また、リブ３１ｃの近傍の背壁３１ｂには、表示装置６の非表示面６ｂに面して弾性部材８が取り付けられている。この弾性部材８は、表示部３に加わる衝撃荷重のうち、表示面６ａと交差する方向の衝撃荷重を吸収する十分な減衰率を有した衝撃吸収材が適用される。
【００２５】
弾性部材７，８は、表示装置６の外縁部６１２，６２３，６３４，６４１に対して隙間を有した状態、あるいは当接する状態でそれぞれ取り付けられている。なお、弾性部材７，８として、衝撃吸収材だけでなく、表示装置６をカバー３１に組み込んだ状態で少し圧縮された状態となるように設けられる緩衝材を適用しても良い。弾性部材７，８は、表示装置６への衝撃を吸収するために必要となる断面積を有していればよいので、複数箇所に分かれて断続的に配置されている。
【００２６】
以上のように構成された表示装置固定構造によれば、表示装置６は、第２の領域Ａ２に第１の領域Ａ１から延びる固定金具３３の固定片３３ａのみによって固定されている。しかも、固定片３３ａは、表示装置６の角部６１，６２，６３，６４から離れている。したがって、ポータブルコンピュータ１を落下させるなどした場合、表示装置６の外縁部６１２，６２３，６３４，６４１のいずれかに対して垂直な方向に衝撃荷重が加わったとしても、固定金具３３が角部６１，６２，６３，６４から固定片３３ａまでの間において変形することで、衝撃荷重を減衰、緩和させる。これにより、表示装置６は、落下などの衝撃による破損から免れる。また、表示装置６が第２の領域Ａ２でのみ固定されているので、固定金具３３が変形して表示装置６が正規の位置からずれた場合に、剛性を有した部分に衝突することが無い。
【００２７】
さらに、弾性部材７を第１の領域Ａ１に配置したリブ３１ｃに取り付け、弾性部材８を非表示面６ｂに面した背壁３１ｂに取り付けているので、固定金具３３が変形した場合に、効果的に表示装置６を受け止めることができる。また、固定片３３ａは、１つの固定ネジ３５で取付座３４に締め付けられている。したがって、第１の領域Ａ１から延びる固定金具３３の端部が、表示面６ａに沿う面内方向の荷重によって固定ネジ３５を中心に捩れやすく、表示装置６に加わる衝撃荷重を効果的にいなすことができる。
【００２８】
また、この表示装置固定構造によれば、表示部３のいずれかの角から衝突荷重が加わった場合、固定金具３３が変形することで衝突荷重を減衰、緩和させるとともに、衝突荷重が加わった部分に対応する表示装置６の角部６１，６２，６３，６４に隣合う２つの第１の領域Ａ１に配置される弾性部材７によって、表示装置の重量が受け止められる。この結果、表示装置６に局部的な荷重が加わることが防止され、表示装置６が破損してしまうことを防止することができる。
【００２９】
また、固定金具３３は、隣合う２箇所の第２の領域Ａ２に配置される固定片３３ａを一体に有している。したがって、表示部３に外部から衝撃荷重が加わった場合、取付座３４および固定片３３ａを介して入力される衝撃荷重が、固定金具３３を表示装置６に取り付けるビス３６に集中することを回避することができる。つまり、表示部３の角からポータブルコンピュータ１を落下させた場合など、その角の第２の領域Ａ２に配置される固定片３３ａから入力された衝撃荷重を反対側の固定片３３ａへと逃すことができる。
【００３０】
本発明に係る第２の実施形態の表示装置固定構造について、図１３を参照して説明する。第１の実施形態に詳述した表示装置固定構造に対し、本実施形態の表示装置固定構造では、表示装置６に対して固定金具３３が取り付けられる位置が異なる。第１の実施形態では、ヒンジ４によって回動する表示部３の右側に位置する外縁部６４１および左側に位置する外縁部６２３に固定金具３３が取り付けられていた。
【００３１】
これに対し、本実施形態では、図１３に示すように表示部３の前側に位置する外縁部６１２および後側に位置する外縁部６３４に固定金具３３が取り付けられる。上記以外の構成は、第１の実施形態において詳述した表示装置固定構造と同じ構成であるのでその説明を省略する。
【００３２】
上述の実施形態において、電子機器としてポータブルコンピュータ１を一例に説明したが、表示装置６を備える電子機器、例えば、携帯電話やパーソナルデジタルアシスタント（ＰＤＡ）、デジタルカメラ、デジタルビデオカメラといった表示装置を備える電子機器に本発明に係る表示装置固定構造を適用した場合にも上述の効果と同様の効果を得ることができる。また、表示装置の代わりに精細な駆動部を備える記憶装置などの保持構造に、上記実施形態における表示装置固定構造を適用することも有効である。
【図面の簡単な説明】
【００３３】
【図１】本発明に係る第１の実施形態の表示装置固定構造を有するポータブルコンピュータを示す斜視図。
【図２】図１に示したポータブルコンピュータの表示パネルの分解斜視図。
【図３】図２中にＦ３で示した部分を拡大したカバーの斜視図。
【図４】図２中にＦ４で示した部分を拡大したカバーの斜視図。
【図５】図２中にＦ５で示した部分を拡大したカバーの斜視図。
【図６】図２中にＦ６で示した部分を拡大したカバーの斜視図。
【図７】図２に示したカバーに表示装置を取り付けた状態の斜視図。
【図８】図７中にＦ８で示した部分を拡大した斜視図。
【図９】図７中にＦ９で示した部分を拡大した斜視図。
【図１０】図７中にＦ１０で示した部分を拡大した斜視図。
【図１１】図７中にＦ１１で示した部分を拡大した斜視図。
【図１２】図７に示したカバーと表示装置と固定金具とを模式的に示す平面図。
【図１３】本発明に係る第２の実施形態の表示装置固定構造を模式的に示す平面図。
【符号の説明】
【００３４】
６…表示装置、６ａ…表示面、６ｂ…非表示面、３１…カバー、３１ａ…外周壁（縁）、３２…マスク、３３…固定金具、３３ａ…固定片、３４…取付座、３５…固定ネジ、６１，６２，６３，６４…角部、６１２，６２３，６３４，６４１…外縁部、Ａ１…第１の領域、Ａ２…第２の領域、Ｂ１，Ｂ２，Ｂ３，Ｂ４，Ｂ５，Ｂ６，Ｂ７，Ｂ８…線分。
【図１】
2007034939.tif 000003
【図２】
2007034939.tif 000004
【図３】
2007034939.tif 000005
【図４】
2007034939.tif 000006
【図５】
2007034939.tif 000007
【図６】
2007034939.tif 000008
【図７】
2007034939.tif 000009
【図８】
2007034939.tif 000010
【図９】
2007034939.tif 000011
【図１０】
2007034939.tif 000012
【図１１】
2007034939.tif 000013
【図１２】
2007034939.tif 000014
【図１３】
2007034939.tif 000015